(57)【要約】【課題】水抜きは寒冷地の冬場等に限り行われるものであるため、それ以外では、使用者が水抜き栓を操作する機会はほとんどないにもかかわらず、水抜き栓はケーシングより露出しているため、見映えが悪いという問題があった。【解決手段】便器に着脱自在に設置され、装置本体の内部に局部洗浄用ノズルと、前記局部洗浄用ノズルに温水を供給する温水タンクを備え、更に前記温水タンクに水を供給するバルブと、前記バルブに水抜き可能な水抜き栓とを備えた衛生洗浄装置において、開閉可能なキャップを備えた水抜き栓を隠蔽するためのカバーを有し、前記カバーにキャップを開閉可能とする操作穴を設けた。【選択図】  図５
2004346726.tif 000002
【特許請求の範囲】
【請求項１】
便器に着脱自在に設置され、装置本体の内部に局部洗浄用ノズルと、前記局部洗浄用ノズルに温水を供給する温水タンクを備え、更に前記温水タンクに水を供給するバルブと、前記バルブに水抜き可能な水抜き栓とを備えた衛生洗浄装置において、開閉可能なキャップを備えた水抜き栓を隠蔽するためのカバーを有し、前記カバーにキャップを開閉可能とする操作穴を設けたことを特徴とする衛生洗浄装置。
【請求項２】
請求項１記載の衛生洗浄装置において、前記操作穴を製品前方に向けて設けていることを特徴とする衛生洗浄装置。
【請求項３】
請求項１又は２記載の衛生洗浄装置において、前記キャップの開閉方向を水抜き栓取り出し方向と同じ方向としたことを特徴とする衛生洗浄装置。
【請求項４】
請求項１乃至３のいずれかに記載の衛生洗浄装置において、前記キャップと前記カバーとが一体となっていることを特徴とする衛生洗浄装置。
【請求項５】
請求項４の記載の衛生洗浄装置において、前記キャップと前記カバーとが製品背面部分で一体であることを特徴とする衛生洗浄装置。
【請求項６】
請求項１乃至５のいずれかに記載の衛生洗浄装置において、前記キャップが前記カバーと異なる外観色であることを特徴とする衛生洗浄装置。
【請求項７】
請求項１乃至６のいずれかに記載の衛生洗浄装置において、前記水抜き栓がないと前記キャップがカバーと嵌合しないことを特徴とする衛生洗浄装置。
【請求項８】
請求項１乃至７のいずれかに記載の衛生洗浄装置において、前記水抜き栓がシールする位置まで締め付けられていないと前記キャップが前記カバーと勘合しないことを特徴とする衛生洗浄装置。
【発明の詳細な説明】
【０００１】
【発明の属する技術分野】
本発明は、局部に洗浄温水を噴出して洗浄するための衛生洗浄装置に関し、特に衛生洗浄装置のバルブユニットに設けた凍結防止用の水抜き栓に関する。
【０００２】
【従来の技術】
衛生洗浄装置の基本的構成は、給水源からの水をバルブユニットを介して温水タンク（貯湯式または瞬間湯沸し式）に導いて温め、下流のノズルから温水を噴出することにより人体の局部を洗浄するものが知られている。このバルブユニットや温水タンク、ノズルなどはケーシング内部に収納され、ケーシングには便座と便ふたが開閉自在に取付けられている。
【０００３】
バルブユニットには、凍結防止のために水抜き栓設けられるのが一般的である（例えば、特許文献１参照）。バルブユニットの水抜きは、水の凍結が予想されるほどの厳しい寒さの時や、冬場に長期間留守にするときなどに、使用者が行うものである。このため、バルブユニット本体はケーシングの内部に収納されるが、バルブユニットの水抜き栓は、水抜きが必要なときに使用者が抜きさしできるようにケーシングから露出して収納される。
【０００４】
【特許文献１】
特開２００２−２９４８００号公報
【０００５】
【発明が解決しようとする課題】
しかしながら、上記した従来の衛生洗浄装置では、水抜きは寒冷地の冬場等に限り行われるものであるため、それ以外では、使用者が水抜き栓を操作する機会はほとんどないにもかかわらず、水抜き栓はケーシングより露出している。よって、見映えが悪いという問題があった。
【０００６】
本発明は、上記課題を解決するためになされたもので、本発明の目的は、バルブユニットの水抜き栓を備えながら見映えが良い衛生洗浄装置を提供するものである。
【０００７】
【課題を解決するための手段・作用及び効果】
上記目的を達成するために、請求項１では便器に着脱自在に設置され、装置本体の内部に局部洗浄用ノズルと、前記局部洗浄用ノズルに温水を供給する温水タンクを備え、更に前記温水タンクに水を供給するバルブと、前記バルブに水抜き可能な水抜き栓とを備えた衛生洗浄装置において、開閉可能なキャップを備えた水抜き栓を隠蔽するためのカバーを有し、前記カバーにキャップを開閉可能とする操作穴を設けた。よってこの穴に−ドライバー等の工具を差し込むことでのみキャップが開閉できるため、水抜き栓を操作したい使用者のみが簡単にキャップを開閉でき、水抜き栓を操作しない場合の見映えを向上させる構造となった。
【０００８】
請求項２では請求項１記載の衛生洗浄装置において、前記操作穴を製品前方に向けて設けている。よって便器に製品が設置されている状態で便器と側面の壁の間が狭い場合でも、（マイナス）−ドライバー等でキャップの開閉をできやすくなった。
【０００９】
請求項３では請求項２記載の衛生洗浄装置において、前記キャップの開閉方向を水抜き栓取り出し方向と同じ方向とした。よってキャップの内側に水抜き栓が配置できるため、省スペース化となった。
【００１０】
請求項４では請求項乃１至３のいずれかに記載の衛生洗浄装置において、前記キャップと前記カバーとを一体とした。よってキャップを外した場合でも、キャップとカバーが繋がっているため紛失することがない。
【００１１】
請求項５では請求項４に記載の衛生洗浄装置において、前記キャップと前記カバーとが製品背面部分で一体となっている。よって製品を便器の置かれたり施工されたりする場合でも一体部が便器や工具に当たりづらく、破損したりする恐れがない。
【００１２】
請求項６では請求項１乃至５のいずれかに衛生洗浄装置において、前記キャップと前記カバーとを異なる外観色とした。よって水抜き栓のカバーの開閉部であるキャップの視認性が向上しどこにあるかが使用者に明確となった。
【００１３】
請求項７では請求項１乃至６のいずれかに記載の衛生洗浄装置において、前記水抜き栓がないと前記キャップが前記カバーと勘合しない。よって水抜き栓を付け忘れたときにはキャップがカバーから外れてしまうため、付け忘れ防止が可能となった。
【００１４】
請求項８では請求項１乃至７のいずれかに衛生洗浄装置において、前記水抜き栓がシールする位置まで締め付けられていないとキャップがカバーと勘合しない。よって、水抜き栓がの締め付け不足な場合、キャップがカバーから外れてしまうため締め付け不足の防止が可能となった。
【００１５】
【発明の実施の形態】
図１は本発明に係わる衛生洗浄装置１の取り付け状態を示す図であり、図２は内観図である。図１および図２に示すように、衛生洗浄装置１はケーシング２、便座３、便ふた４等からなり便器５に着脱自在に固定され、便座３およおび便ふた４はケーシング２に開閉自在に取付けられている。バルブユニット６に供給された水は温水タンク７にて温められ、ノズルユニット８から噴出されることにより、人体局部洗浄に利用される。本実施例では温水タンク７は貯湯式としているが瞬間湯沸し式でもよい。
【００１６】
図３に示すようにバルブユニット６のケーシング２に臨む位置には、凍結防止用の水抜き栓９が設けられているが、図１に示す様に水抜き栓隠蔽手段のカバー１０により隠蔽されてる。このため、水抜き栓を操作しない場合の見映えを向上できる。図４は水抜き栓９部分の拡大説明図である。図４に示すようにカバー１０にはキャップ１１が開閉可能に設置されているため、使用者はキャップ１１を開けることで簡単に水抜き栓９の操作が可能となる。
【００１７】
図５はカバー１０からキャップ１１を開ける方法図である。キャップ１１に開閉操作を可能とする操作穴１２が設置されていることで、使用者が−ドライバー等の工具でのみキャップ１１を開けることができる。よって水抜き栓９を操作したい使用者のみが簡単にキャップ１１を開閉できる構造となった。
また、操作穴１２が製品前方に設置されている。よって便器に製品が設置されている状態で便器５と側面の壁の間が狭い場合でも、−ドライバー等でキャップ１１の開閉をできやすくなった。
【００１８】
図６ではカバー１０とキャップ１１を係止するフック１３をキャップ１１に設置し、穴１４をカバー１０に設置しているが、図７の様に、フック１３をカバー１０に設置し穴１４をキャップ１１に設置することも可能である。
また、図８の様に、カバー１０の下面に切欠き部１５を設置し、キャップ１１に突起部１６を設置することで、水抜き栓９を指でつまみ易い構造とすることも可能である。
また、図９の様に、フック１３と操作穴１２に位置をずらすことで−ドライバー等でキャップ１１を開閉する際にフック１３にドライバーが当りにくい構造とすることも可能である。
【００１９】
図１０はキャップ１１と水抜き栓９の取り合い構造図である。キャップ１１の開閉方向が水抜き栓９取り出し方向と同じ方向とした。よってキャップ１１の内側に水抜き栓９が配置できるため省スペース化となった。
また、図５においてカバー１０とキャップ１１が一体となった構造となっているため、キャップ１１を外した場合でも、キャップ１１とカバ１０ーが繋がっているため紛失することがない。また、キャップ１１とカバー１０が製品背面にて繋がっているため、製品を便器５の置かれたり施工されたりする場合でも一体部が便器５や工具に当たりづらく、破損したりする恐れがない。
さらにキャップ１１とカバー１０を別色にすることで水抜き栓のカバー１０の開閉部であるキャップ１１の視認性が向上しどこにあるかが使用者に明確となった。
【００２０】
図１１は、水抜き栓９のカバー１０と一体のキャップ１１と水抜き栓９の開閉状態を示す。水抜き栓９がないとキャップ１１のフック１３が水抜き栓９で押されないため、カバー１０の穴１４と勘合しない。よって水抜き栓９を付け忘れたときにはキャップ１１がカバー１０から外れてしまうため、付け忘れ防止が可能となった。
【００２１】
図１２は、水抜き栓９のシール位置とカバー１０と一体のキャップ１１との取り合いを示す。水抜き栓９がシールする位置まで締め付けられていないとキャップ１１のフック１３がカバー１０の穴１４と勘合しない。よって、水抜き栓９がの締め付け不足な場合、カバー１０からキャップ１１が外れてしまうため締め付け不足の防止が可能となった。
【図面の簡単な説明】
【図１】本発明の一実施形態である衛生洗浄装置の斜視図
【図２】本発明に一実施形態である衛生洗浄装置の内観図
【図３】本発明におけるバルブユニットとケーシングの取り合い図
【図４】本発明における水抜き栓部の拡大図面
【図５】本発明におけるカバーとキャップの取外し方法図
【図６】水抜き栓部の断面図
【図７】本発明におけフックと穴の取り合い図
【図８】本発明におけカバーの切り欠き部の構成図
【図９】本発明におけフックと操作穴の取り合い図
【図１０】本発明におけるキャップと水抜き栓の取り合い構造図
【図１１】本発明におけるキャップと水抜き栓の開閉状態取り合い構造図
【図１２】本発明におけるキャップと水抜き栓のシール位置との取り合い構造図
【符号の説明】
１…衛生洗浄装置
２…ケーシング
３…便座
４…便ふた
５…便器
６…バルブユニット
７…温水タンク
８…ノズルユニット
９…水抜き栓
１０…カバー
１１…キャップ
１２…操作穴
１３…フック
１４…穴
１５…切欠き部
１６…突起部
【図１】
2004346726.tif 000003
【図２】
2004346726.tif 000004
【図３】
2004346726.tif 000005
【図４】
2004346726.tif 000006
【図５】
2004346726.tif 000007
【図６】
2004346726.tif 000008
【図７】
2004346726.tif 000009
【図８】
2004346726.tif 000010
【図９】
2004346726.tif 000011
【図１０】
2004346726.tif 000012
【図１１】
2004346726.tif 000013
【図１２】
2004346726.tif 000014